(57)【要約】【課題】パッキングされているトイレットペーパーを収納する際に、外側全体を被包しているビニール膜を破り、中にあるトイレットペーパーを一つずつ取り出す必要がないトイレットペーパー収納具を提供すること。また、数多くのトイレットペーパーを、外観良く収納することができるトイレットペーパー収納具を提供すること。【解決手段】パッキングされたトイレットペーパー１全体を被包でき、且つ当該パッキングされたトイレットペーパー１全体を外部へ出し入れできる開口部を有する袋２と、当該袋２の開口部を覆う蓋３であって、当該蓋３の一端部は袋２と接合され、当該蓋３の他端部は袋２から着脱自在である係止部４を有する蓋３から構成すること。【選択図】　　図１
2004121797.tif 000002
【特許請求の範囲】
【請求項１】
パッキングされたトイレットペーパー全体を被包でき、且つ当該パッキングされたトイレットペーパー全体を外部へ出し入れできる開口部を有する袋と、当該袋の開口部を覆う蓋であって、当該蓋の一端部は前記袋と接合され、当該蓋の他端部は前記袋から着脱自在である係止部を有する蓋とから構成されることを特徴とするトイレットペーパー収納具。
【発明の詳細な説明】
【０００１】
【発明の属する技術分野】
本発明は、トイレットペーパー収納具に係り、特に、パッキングされているトイレットペーパーの収納具に関する。
【０００２】
【従来の技術】
日常生活において頻繁に使用されるトイレットペーパーは、通常、６ロール若しくは１２ロールで１パックとして、ビニール膜で被包（パッキング）して販売されているものが多い。
【０００３】
従前より、トイレットペーパーを収納する収納具として、立法体の収納具にトイレットペーパーを収納する、といったものが種々存在する（非特許文献１及び特許文献２参照）。
【０００４】
【非特許文献１】
株式会社フジサンケイリビングサービス、
〔平成１４年１０月２日検索〕、インターネット＜ＵＲＬ：
2004121797.tif 000003
【特許文献２】
意匠登録第１０７１４０７号公報
【０００５】
【発明が解決しようとする課題】
しかしながら上記従来例にあっては、トイレットペーパーを出し入れする開口部が小さいものが多かった。このため、パッキングされているトイレットペーパーを収納具へ収納する場合は、外側全体を被包しているビニール膜を破り、中にあるトイレットペーパーを一つずつ取り出して収納する、という煩わしい作業を要していた。
【０００６】
また、収納具の内容量が小さいため、収納できるトイレットペーパーの数も少ないという不都合があった。
【０００７】
【発明の目的】
本発明は、かかる従来例の有する不都合を改善し、特に、パッキングされているトイレットペーパーを収納する際に、外側全体を被包しているビニール膜を破り、中にあるトイレットペーパーを一つずつ取り出す必要がないトイレットペーパー収納具を提供することを、その目的とする。また、数多くのトイレットペーパーを、外観良く収納することができるトイレットペーパー収納具を提供することを、その目的とする。
【０００８】
【課題を解決するための手段】
上記目的を達成するため、請求項１記載の発明は、パッキングされたトイレットペーパー全体を被包でき、且つ当該パッキングされたトイレットペーパー全体を外部へ出し入れ可能な開口部を有する袋と、当該袋の開口部を覆う蓋であって、当該蓋の一端部は袋と接合され、当該蓋の他端部は袋から着脱自在である係止部を有する蓋とから構成される。
【０００９】
ここで、上記「パッキングされたトイレットペーパー」とは、ロール状のトイレットペーパーが、６個若しくは１２個で１パックとして、ビニール膜で被包（パッキング）されている状態のものを示す。また、上記「係止部」とは、蓋を閉じた際、その蓋の一部を袋に仮留めすることができる部位を示し、具体的には、面ファスナーが該当する。
【００１０】
これにより、パッキングされたトイレットペーパーを丸ごと収納することができ、ひいては、数多くのトイレットペーパーを外観良く収納できるトイレットペーパー収納具を提供することができる。これにより、前述した目的を達成する。
【００１１】
【発明の実施の形態】
本発明の一実施形態を図１乃至図４に基づいて説明する。ここで、以下の詳細な説明は、本発明の実施形態の一例を示すものであって、本発明の権利範囲がこれに限定されるものではない。当業者において、通常用いられる代替手段の採用が可能である。
【００１２】
本発明に係るトイレットペーパー収納具１０は、パッキングされたトイレットペーパー１全体を被包でき、且つ当該パッキングされたトイレットペーパー１全体を外部へ出し入れできる開口部を有する袋２と、当該袋２の開口部を覆う蓋３であって、当該蓋３の一端部は袋２と接合され、当該蓋３の他端部は袋２から着脱自在である係止部４を有する蓋２とから構成される。
【００１３】
以下、上記トイレットペーパー収納具１０を詳述する。なお、本実施形態では、上記「係止部４」は面ファスナーであるということを前提として、以後説明を進める。
【００１４】
図１及び図２は、本発明に係るトイレットペーパー収納具１０の外観を示す斜視図である。特に図１では、矢印方向に蓋３を開封した状態を示している。
【００１５】
袋２及び蓋３の材質は布である。袋２は、側面部を形成する４枚の長方形の布と、底面部を形成する１枚の正方形の布を、それぞれ縫い合わせて作られている。ここで、袋２の内容量であるが、パッキングされたトイレットペーパー１を１つ分（トイレットペーパー、１２ロール分）が入るだけの容量が確保されている。イメージ容易のため、その具体的な大きさを示すと、縦２０〔ｃｍ〕、横２０〔ｃｍ〕、高さ３５〔ｃｍ〕である。
【００１６】
蓋３は、袋２の開口部全体を覆うためのものである。蓋３の大きさは、上述した底面部を形成する布と概ね合致している。そして、蓋３の形状も底面部を形成する布と概ね相似しており、蓋３の一辺には鍔状の取っ手３ａが設けられている。この取っ手３ａも布で形成されており、蓋３を閉じた際に、取っ手３ａが載置面方向（下方）へ屈折して袋２の側面に掛かるようになっている。
【００１７】
さらに、蓋３の取っ手３ａを設けた辺の対辺に位置する一辺と、袋２の開口部の一辺とが互い縫い合わされており、その縫い合わされた一辺が蓋３の支点となって、蓋３が上下に開閉できるようになっている。
【００１８】
さらに、蓋３の取っ手３ａの内側（裏側）及び、袋２の正面上部には、それぞれ面ファスナー４が縫い付けられている。この２つの面ファスナー４は、蓋３を閉じ、取っ手３ａを載置面方向へ屈折させたとき、それぞれの面ファスナーが互いに合致する位置に縫い付けられる。
【００１９】
ここで、パッキングされたトイレットペーパー１を１つ分（トイレットペーパー、１２ロール分）を、トイレットペーパー収納具１０に収納し、蓋３を閉じた状態を図２に示す。
【００２０】
さらに、理解容易のため、図２の蓋３を閉じた状態において、トイレットペーパー収納具１０を正面から見た図を図３に示す。また、図２の蓋３を閉じた状態において、トイレットペーパー収納具１０を右側面から見た図を図４に示す。
【００２１】
以上が、本発明の一本実施形態に係る説明である。ここで、上述したように本発明の形態はこの実施形態に限られるものではない。例えば本実施形態では、袋２は、５枚の布を縫い合わせて形成されているが、一枚の布で袋を形成してもよい。また、本実施形態では、係止部は面ファスナーを採用したが、この面ファスナーと同等の効果を奏する紐やボタンなどを採用してもよい。
【００２２】
このように本実施形態によると、パッキングされているトイレットペーパーを丸ごと収納することができる。これにより、従来のように、外側全体を包むビニール膜を破り、中にあるトイレットペーパーを一つずつ取り出して収納具へ収納する、といった煩わしい手間を省くことができる。また、トイレットペーパーを外観良くおしゃれに収納することができる。
【００２３】
さらに、従来のトイレットペーパー収納具と比べて、数多くトイレットペーパーを収納することができる。これにより、買い置きした際、容易にその収納をすることができる。
【００２４】
加えて、袋２及び蓋３において、布の色彩（模様）や布地を変えたり、あるいは造花やリボン、マスコット人形を別途取り付けたりする等、使用者の好みに応じたアレンジを容易に行うことができる。これにより、様々なトイレカバーセットとマッチさせることができると共に、トイレ内に違和感を持たせることなく、おしゃれに設置することができる。
【発明の効果】
本発明は、以上のように構成され機能するので、パッキングされたトイレットペーパーを丸ごと収納することができ、ひいては、数多くのトイレットペーパーを外観良く収納できる、という従来にない優れたトイレットペーパー収納具を提供することができる。
【図面の簡単な説明】
【図１】本発明の一実施形態の外観を示した斜視図であり、特に、蓋を開封した状態を示している。
【図２】本発明の一実施形態の外観を示した斜視図であり、特に、図１に示したトイレットペーパー収納具において、蓋を閉じた状態を示している。
【図３】図２に示すトイレットペーパー収納具の正面図である。
【図４】図２に示すトイレットペーパー収納具の右側面図である。
【符号の説明】
１　　パッキングされたトイレットペーパー
２　　袋
３　　蓋
３ａ　取っ手
４　　面ファスナー（係止部）
【図１】
2004121797.tif 000004
【図２】
2004121797.tif 000005
【図３】
2004121797.tif 000006
【図４】
2004121797.tif 000007